(57)【特許請求の範囲】
【請求項１】
ゴルフを行う際に用いられるゴルフティーであって、
地面に突き刺す突き刺し部と、該突き刺し部を支持する摘み部と、該摘み部に連続して設けられた中空状の折り畳み部と、該折り畳み部に連続して設けられた中空状の載置部と、を備え、
前記折り畳み部を前記摘み部側に折り畳むことにより高さが調整可能となっているものにおいて、
前記載置部、前記折り畳み部及び前記摘み部が一体となっており、且つ
前記載置部、前記折り畳み部及び前記摘み部と、前記突き刺し部とが異なる合成樹脂材で形成されており、
前記摘み部は、上腹部、連絡壁を有する中腹部及び下腹部からなり、該中腹部の径が小さく形成されて、全体として鼓状に湾曲しており、さらに、
前記摘み部の下腹部に前記突き刺し部の上部を嵌合し、該突き刺し部の上端部を、摘み部の連絡壁に当接させ、突き刺し部をゴルフティーに支持固定させたゴルフティー。
【請求項２】
前記折り畳み部が、中空テーパー状であり、該折り畳み部を前記摘み部側に折り畳むことにより該折り畳み部が反転し、高さが調整可能となっている請求項１記載のゴルフティー。
【請求項３】
前記折り畳み部の上下端が肉薄になっている請求項１又は２に記載のゴルフティー。
【請求項４】
前記載置部の上端が波状になっている請求項１〜３のいずれか一項に記載のゴルフティー。
【請求項５】
前記載置部、前記折り畳み部及び前記摘み部がエラストマーであり、
前記突き刺し部がＡＢＳ樹脂である請求項１〜４のいずれか一項に記載のゴルフティー。
【発明の詳細な説明】
【技術分野】
【０００１】
本発明は、ゴルフに使用するゴルフティーに関し、更に詳しくは、極めて容易に高さ調整ができるゴルフティーに関する。
【背景技術】
【０００２】
通常、ゴルフのティーショットにおいては、ゴルフティーを地面に突き刺し、その上にゴルフボールをゴルフティーの上に載置する。
そして、その状態のゴルフボールをゴルフクラブで打つことになる。
【０００３】
ところで、ゴルフにおいて、ショートコースとロングコースとでは一般に使用するゴルフクラブが異なる。このため、ティーショットの際に、ゴルフティーの高さを、使用するゴルフクラブに合わせたものにする必要がある。また同じゴルフクラブを用いても、人によっては、球筋を変えるため高さを調整したい場合もある。
このため、従来のＴ字状のゴルフティーだと、高さの調整ができないため、コースに出る場合、高さの異なる複数のゴルフティーを所持している必要がある。
【０００４】
これに対し、高さの調整が可能なゴルフティーが開発されている。
例えば、ゴルフティー軸にねじを切り、高さ調整を可能としたゴルフティーが知られている（例えば、特許文献１参照）。
また、ゴルフティーと固定台とから構成され、ゴルフティーの突き刺し部に種々の厚さのパットを挿着して高さを調整するゴルフティーが知られている（例えば、特許文献２参照）。
【先行技術文献】
【特許文献】
【０００５】
【特許文献１】特開２０００−２６２６５８号公報
【特許文献２】特開２００８−２２０９６４号公報
【発明の概要】
【発明が解決しようとする課題】
【０００６】
しかしながら、上記特許文献１及び２に示されたゴルフティーは、高さ調整に時間がかかり、煩雑であるため、使用勝手が悪いという欠点がある。
【０００７】
本発明は上記事情に鑑みてなされたものであり、極めて容易に高さ調整ができるゴルフティーを提供することを目的とする。
【課題を解決するための手段】
【０００８】
本発明者らは、上記課題を解決するため鋭意検討したところ、折り畳み部を設け、該折り畳み部を折り畳むことにより、上記課題を解決し得ることを見出し、本発明を完成するに至った。
【０００９】
本発明のゴルフティーは、（１）ゴルフを行う際に用いられるゴルフティーであって、地面に突き刺す突き刺し部と、該突き刺し部を支持する摘み部と、該摘み部に連続して設けられた中空状の折り畳み部と、該折り畳み部に連続して設けられた中空状の載置部と、を備え、折り畳み部を摘み部側に折り畳むことにより高さが調整可能となっているものにおいて、載置部、折り畳み部及び摘み部が一体となっており、且つ、載置部、折り畳み部及び摘み部と、突き刺し部とが異なる合成樹脂材で形成されており、摘み部は、上腹部、連絡壁を有する中腹部及び下腹部からなり、該中腹部の径が小さく形成されて、全体として鼓状に湾曲しており、さらに、摘み部の下腹部に突き刺し部の上部を嵌合し、該突き刺し部の上端部を、摘み部の連絡壁に当接させ、突き刺し部をゴルフティーに支持固定させたゴルフティーに存する。
【００１０】
本発明のゴルフティーは、（２）折り畳み部が、中空テーパー状であり、該折り畳み部を摘み部側に折り畳むことにより該折り畳み部が反転し、高さが調整可能となっている上記（１）記載のゴルフティーに存する。
【００１１】
本発明のゴルフティーは、（３）折り畳み部の上下端が肉薄になっている上記（１）又は（２）に記載のゴルフティーに存する。
【００１３】
本発明のゴルフティーは、（４）載置部の上端が波状になっている上記（１）〜（３）のいずれか一つに記載のゴルフティーに存する。
【００１５】
本発明のゴルフティーは、（５）載置部、折り畳み部及び摘み部がエラストマーであり、突き刺し部がＡＢＳ樹脂である上記（１）〜（４）のいずれか一つに項記載のゴルフティーに存する。
【発明の効果】
【００１６】
本発明のゴルフティーにおいては、折り畳み部を摘み部側に折り畳むだけで、高さが調整可能となっているので、極めて容易に高さ調整ができる。したがって、コースに出る場合、高さの異なる複数のゴルフティーを所持する必要がない。
【００１７】
本発明のゴルフティーにおいては、折り畳み部が中空テーパー状である場合、ゴルフティーの上方から押圧すると、折り畳み部が屈曲し、更に押圧すると、一気に反転することになる。
すなわち、折り畳み部が一気に反転することにより、いわゆるクリック効果が得られる。
これにより、ゴルフティーの高さを段階的に低く切り変えることができ、且つその位置で確実に固定できる。なお、折り畳み部の上下端が肉薄になっていると、折り畳み易い。
すなわち、比較的弱い力で折り畳み部を反転させることができる。
【００１８】
本発明のゴルフティーにおいては、摘み部が鼓状に湾曲している場合、摘みやすく、且つ滑り難い。このため、突き刺し部を地面に突き刺しやすくなる。
【００１９】
本発明のゴルフティーにおいては、載置部の上端が波状になっていると、ゴルフティーにゴルフボールを載置する際、ゴルフボールをより安定化させることができる。
また、載置部とゴルフボールとの間を空気が抜けることになるため、ゴルフボールの離脱性が優れ、飛翔性が妨げられることはない。
【００２０】
本発明のゴルフティーにおいては、載置部、折り畳み部及び摘み部が一体となっている場合、製造が容易である。また、載置部、折り畳み部及び摘み部がエラストマーであり、突き刺し部がＡＢＳ樹脂であると、高さを調整したり、ゴルフクラブによって衝撃を受ける載置部、折り畳み部及び摘み部は、柔軟性が優れ、地面に突き刺す突き刺し部は、強度が優れる。
【図面の簡単な説明】
【００２１】
【図１】図１の（ａ）は、第１実施形態に係るゴルフティーを示す正面図であり、（ｂ）はその上面図である。
【図２】図２は、第１実施形態に係るゴルフティーを示す断面図である。
【図３】図３の（ａ）〜（ｄ）は、第１実施形態に係るゴルフティーの折り畳んだ状態を説明するための説明図である。
【図４】図４は、第１実施形態に係るゴルフティーの折り畳んだ状態を示す断面図である。
【図５】図５は、第１実施形態に係るゴルフティーの使用状態を示す正面図である。
【図６】図６は、第２実施形態に係るゴルフティーの載置部を示す正面図である。
【図７】図７は、第３実施形態に係るゴルフティーの載置部を示す正面図である。
【図８】図８は、第４実施形態に係るゴルフティーを示す斜視図である。
【発明を実施するための形態】
【００２２】
以下、図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２３】
［第１実施形態］
図１の（ａ）は、第１実施形態に係るゴルフティーを示す正面図であり、（ｂ）はその上面図である。
図１の（ａ）及び（ｂ）に示すように、第１実施形態に係るゴルフティー１０は、地面に突き刺す突き刺し部１と、該突き刺し部１を支持する摘み部２と、該摘み部２に連続して設けられた折り畳み部３と、該折り畳み部３に連続して設けられた中空状の載置部４と、を備える。
【００２４】
第１実施形態に係るゴルフティー１０は、突き刺し部１が地面に突き刺され、載置部４にゴルフボールが載置された状態で用いられる。
具体的には、ゴルフティー１０は、ゴルフのティーアップを行う際に用いられる。
【００２５】
このゴルフティー１０においては、折り畳み部３を摘み部２側に折り畳むだけで、高さの調整が可能となっている。
このため、コースによって、ゴルフティー１０の高さを使い分けることができる。
また、高さの異なる複数のゴルフティーを所持する必要がない。
【００２６】
図２は、第１実施形態に係るゴルフティーを示す断面図である。
図２に示すように、ゴルフティー１０において、突き刺し部１は、先細状になっている。
これにより、地面に容易に突き刺すことが可能となる。
【００２７】
また、突き刺し部１の材質はポリプロピレン、ポリカーボネート、ＡＢＳ樹脂等、特に限定されるものではないが、ＡＢＳ樹脂等の共重合合成樹脂であることが好ましい。
これらの中でも、ＡＢＳ樹脂である場合、強度が優れるため、地面がより固い場合であっても、突き刺すことが可能となる。
【００２８】
摘み部２は、連絡壁２ａ１を有する中腹部２ａが径が小さくなっており、いわゆる鼓状になっている。
このため、外側から摘み部２を摘みやすく、且つ滑り難いという利点がある。
このことから、ゴルフティー１０を地面に突き刺す場合、摘み部２を摘むことにより、十分力を入れ乍ら突き刺し部１を地面に突き刺すことができる。
【００２９】
上述した突き刺し部１においては、上部に凹部１ａが設けられている。
一方、摘み部２は、中腹部２ａ周縁から下方に延びた下腹部２ｃの内壁に、突起２ｄが形成されている。
なお、摘み部２は、中腹部２ａ周縁から上方に延びた上腹部が中空状となっている。
これにより、ゴルフティー１０の軽量化が図られる。
また、軽量化されるため、ゴルフティー１０の原料コストも削減される。
【００３０】
ゴルフティー１０においては、摘み部２２の下腹部２ｃに上述した突き刺し部１の上部を嵌合し、且つ突起２ｄに凹部１ａを係合することにより、突き刺し部１が支持固定される。
成形する際、突き刺し部１は、摘み部２と別体に作り、相互に組み付けてもよいし、射出成形で一体成形してもよい。
いずれにしても、摘み部２と突き刺し部１がしっかりと固定される。
なお突き刺し部１の上端部は前述の連絡壁２ａ１に当接しているのでゴルフティー１０を地面に突き刺す際の力を突き刺し部１に確実に伝えることができる。
【００３１】
折り畳み部３は、摘み部２に連続して設けられており、徐々に径が大きくなるように中空テーパー状となっている。
また、折り畳み部３においては、上端３ａ及び下端３ｂが肉薄になっている。
これにより、後述する折り畳み部３を摘み部２側に折り畳むことが容易となる。
なお、折り畳み部の厚みは、０．５〜２．０ｍｍであることが好ましく、肉薄の部分の厚みは、０．２〜１．０ｍｍであることが好ましい。
【００３２】
載置部４は、折り畳み部３の上端３ａに連続するように垂直方向に設けられており、且つ折り畳み部３に連続して中空状となっている。
載置部４は、垂直方向に延びた構造となっているので、ゴルフティー１０の上方から押圧されたとしても、変形しにくい。
なお、折り畳み部３は、テーパー状であるので、ゴルフティー１０の上方から押圧されると、載置部４よりも変形しやすい。
【００３３】
ゴルフティー１０において、載置部４、折り畳み部３及び摘み部２からなる本体部は一体となっている。
このため、例えば、射出成形により、一体に容易に製造することができる。
【００３４】
また、本体部の材質は、ポリエステル系、スチレン系、ウレタン系、オレフィン系等のエラストマー、天然ゴム、合成ゴム等であることが好ましく、これらの中でもエラストマーであることがより好ましい。
この場合、柔軟性及び耐久性が優れるので、ゴルフクラブによって衝撃を受けても、破損が抑制でき、且つ形態も維持できる。
【００３５】
このように、第１実施形態に係るゴルフティー１０においては、本体部と、突き刺し部１とが異なる合成樹脂材で形成されている。
このため、突き刺し部に十分な硬さと強度があるものを用い、本体部に柔軟性及び耐久性に優れるものを用いることにより、ゴルフティー１０としての使用性が向上する。
【００３６】
次に、第１実施形態に係るゴルフティー１０の作用について説明する。
図３の（ａ）〜（ｄ）は、第１実施形態に係るゴルフティーの折り畳んだ状態を説明するための説明図であり、図４は、第１実施形態に係るゴルフティーの折り畳んだ状態を示す断面図である。
図３の（ａ）に示すように、ゴルフティー１０においては、ゴルフティー１０の上方から一定の押圧力Ａで押圧すると、図３の（ｂ）に示すように、テーパー状の折り畳み部３が屈曲する。そうすると、折り畳み部３は、載置部４の下部において、載置部４が形態を維持しようとする負荷力Ｂが内側に向けて発生する。
そうすると、図３の（ｃ）に示すように、折り畳み部３が反転し、そして、更に押圧すると、図３の（ｄ）に示すように、折り畳み部３が反転した状態で畳まれることになる。
こうして、図４に示すように、折り畳み部３が折り畳まれたゴルフティー１０が得られる。
【００３７】
このように、第１実施形態に係るゴルフティー１０においては、折り畳み部３が負荷力Ｂを利用して一気に反転するような構造とすることにより、いわゆるクリック効果が得られる。
これにより、ゴルフティーの高さを段階的に低く切り変えることができ、且つその位置で確実に固定できる。
また、上述したように、折り畳み部３の上下端が肉薄になっているので、比較的弱い力で折り畳み部を反転させることが可能である。
【００３８】
図５は、第１実施形態に係るゴルフティーの使用状態を示す正面図である。
図５に示すように、ゴルフティー１０は地面Ｅに突き刺す長さが同じでも、折り畳む前と折り畳み後とで、高い位置（左）及び低い位置（右）との２段階で高さＨの分だけ切り変え調整可能となっている。
【００３９】
第１実施形態に係るゴルフティー１０は、ゴルフのティーショットの際に用いられる高さの調整が可能なゴルフティーとして好適に利用できる。
【００４０】
［第２実施形態］
図６は、第２実施形態に係るゴルフティーの載置部を示す正面図である。
図６に示すように、第２実施形態に係るゴルフティー２０は、載置部１４の上端１４ａが波状になっていること以外は、第１実施形態に係るゴルフティー１０と同じである。
【００４１】
第２実施形態に係るゴルフティー２０の載置部１４は、載置部１４の上端１４ａが波状になっているので、ゴルフティー２０にゴルフボールＧを載置する際、ゴルフボールＧをより安定化させることができる。
また、載置部１４にゴルフボールＧとの間が点ポイントで支持されるので、抵抗が少なくゴルフボールＧの離脱性が優れる。
【００４２】
［第３実施形態］
図７は、第３実施形態に係るゴルフティーの載置部を示す正面図である。
図７に示すように、第３実施形態に係るゴルフティー３０は、載置部２４の上端に凸部２４ａを複数有し、且つ摘み部２２が筒状になっていること以外は、第１実施形態に係るゴルフティー１０と同じである。
【００４３】
第３実施形態に係るゴルフティー３０の載置部２４は、上端に凸部２４ａが設けられているので、第２実施形態と同様に安定性及び離脱性に優れるものである。
【００４４】
［第４実施形態］
図８は、第４実施形態に係るゴルフティーを示す斜視図である。
図８に示すように、第４実施形態に係るゴルフティー４０は、載置部２４の上端に凸部２４ａを複数有し、且つ摘み部３２の上側に上滑り止め部３２ａ及び下側に下滑り止め部３２ｂが設けられていること以外は、第１実施形態に係るゴルフティー１０と同じである。
【００４５】
摘み部３２の上滑り止め部３２ａ及び下滑り止め部３２ｂは、いずれも摘み部３２の周方向に形成された複数の輪状突起からなる。
【００４６】
第４実施形態に係るゴルフティー４０においては、ゴルフティー４０を地面に突き刺す場合に、下滑り止め部３２ｂが、指が滑ることを抑制するので、力をゴルフティー４０に十分に伝えることができる。
また、逆にゴルフティー４０を地面から抜く場合に、上滑り止め部３２ａが、指が滑ることを抑制するので、ゴルフティー４０を容易に抜き取ることができる。
下滑り止め部３２ｂが上滑り止め部３２ａより輪状突起の数が多いのは、ゴルフティー４０を地面に押し入れる時の方が引き抜く場合より多く力が加わるからである。
【００４７】
以上、本発明の好適な実施形態について説明したが、本発明は上記実施形態に限定されるものではない。
【００４８】
例えば、第１〜第４実施形態に係るゴルフティーは、高さＨの分だけ２段階で高さ調整が可能となっているが、高さＨは、折り畳み部３の大きさを変更することにより調整可能であり、段階数も、折り畳み部３の数を増やすことにより３段階以上とすることが可能である。
【００４９】
第１〜第４実施形態に係るゴルフティーにおいて、摘み部２は、中腹部２ａ周縁から上方に延びた上腹部が中空状となっているが、中空状でなくてもよい。
【産業上の利用可能性】
【００５０】
本発明に係るゴルフティーは、ゴルフのティーショットの際に用いられる高さの調整が可能なゴルフティーとして利用される。
本発明に係るゴルフティーによれば、極めて容易に高さ調整ができる。
【符号の説明】
【００５１】
１・・・突き刺し部
１ａ・・・凹部
２，２２，３２・・・摘み部
２ａ・・・中腹部
２ａ１・・・連絡壁
２ｃ・・・下腹部
２ｄ・・・突起
３・・・折り畳み部
３ａ・・・上端
３ｂ・・・下端
４，１４，２４・・・載置部
１０，２０，３０・・・ゴルフティー
１４ａ・・・上端
２４ａ・・・凸部
３２ａ・・・上滑り止め部
３２ｂ・・・下滑り止め部
Ａ・・・押圧力
Ｂ・・・負荷力
Ｇ・・・ゴルフボール
Ｅ・・・地面
Ｈ・・・高さ
【図１】
0005525990.tif 000002
【図２】
0005525990.tif 000003
【図３】
0005525990.tif 000004
【図４】
0005525990.tif 000005
【図５】
0005525990.tif 000006
【図６】
0005525990.tif 000007
【図７】
0005525990.tif 000008
【図８】
0005525990.tif 000009